(57)【要約】【課題】  プログラム更新用のデータが格納された更新用カードが複合機に装着されているのを容易に視認することができる複合機システムを提供する。【解決手段】  画像を記憶するメモリカード２０と、制御プログラムを記憶するプログラム記憶部４４、メモリカード２０を挿抜可能に収容するカードスロット１６、制御プログラムに基づいて画像を出力する印刷装置４７、制御プログラムを書き換えるプログラム更新処理部４５、及び、カードスロット１６の開口を塞ぐための開閉可能なカバーであって、外側に開く差込口カバー１５を有するファクシミリ複合機１０と、制御プログラムを書き換えるためのプログラム更新用データを記憶し、カードスロット１６内に挿抜可能に収容され、メモリカード２０よりも挿抜方向に長いプログラム更新用カード３０により構成される。【選択図】  図４
2008147773.tif 000002
【特許請求の範囲】
【請求項１】
画像を記憶するメモリカードと、
制御プログラムを記憶するプログラム記憶部、上記メモリカードを挿抜可能に収容するカードスロット、上記制御プログラムに基づいて上記画像を出力する画像出力部、及び、上記制御プログラムを書き換えるプログラム更新処理部を有する複合機と、
上記制御プログラムを書き換えるためのプログラム更新用データを記憶し、上記カードスロット内に挿抜可能に収容され、上記メモリカードよりも挿抜方向に長いプログラム更新用カードとからなることを特徴とする複合機システム。
【請求項２】
上記複合機が、上記カードスロットの開口を塞ぐための開閉可能なカバーであって、外側に開くカバーを備え、
上記カバーは、上記メモリカードがカードスロット内に収容されている場合に閉めることができ、上記プログラム更新用カードがカードスロット内に収容されている場合には、当該プログラム更新用カードの端部に当接して閉めることができないことを特徴とする請求項１に記載の複合機システム。
【請求項３】
上記プログラム更新用カードが、プログラム更新用のメモリカードであることを示す識別情報を含むＲＦ信号の送信可能なＲＦＩＤタグを備え、
上記複合機が、上記ＲＦＩＤタグと交信し、上記カードスロット内のプログラム更新用カードから上記識別情報を読み取るＲＦＩＤ読取部を備え、
上記プログラム更新処理部は、上記ＲＦＩＤ読取部が読み取った識別情報に基づいて、プログラム更新用カードからプログラム更新用データを読み出し、上記プログラム記憶部内の制御プログラムを書き換えることを特徴とする請求項１に記載の複合機システム。
【請求項４】
上記プログラム更新用カードが、挿抜方向における一方の端部に配置され、上記カードスロットの接続端子に接続される接続端子部と、
上記接続端子部に接続され、上記プログラム更新用データを記憶するメモリ部とを備え、
上記ＲＦＩＤタグが、上記メモリ部よりも挿抜方向における他方の端部側に配置されていることを特徴とする請求項３に記載の複合機システム。
【発明の詳細な説明】
【技術分野】
【０００１】
本発明は、複合機システムに係り、さらに詳しくは、画像を記憶するメモリカードと、制御プログラムの記憶部、メモリカードを収容するカードスロット、画像を出力する出力部、及び、制御プログラムの更新処理部を有する複合機と、制御プログラムの更新用データを記憶するプログラム更新用カードとからなる複合機システムに関する。
【背景技術】
【０００２】
スキャナで読み取り、或いは、通信回線を介して受信した画像データをメモリカードなどの着脱可能な記録媒体に記憶させることができるファクシミリ複合機が従来から知られている。記録媒体内に蓄積させた画像データは、記録媒体を装着することにより、パーソナルコンピュータなどの他の機器上で閲覧編集することができる。また、他の機器において作成され記録媒体内に蓄積された画像データを送信し、或いは、プリンタで印刷することができるファクシミリ複合機も知られている。
【０００３】
近年、複合機の高機能化に伴い、制御プログラムに不具合が発見された場合にその不具合を取り除いて制御プログラムを修正し、或いは、最新のものに制御プログラムをアップデートすることが行われている。この様な制御プログラムの書き換えは、通常、プログラム更新用のデータが格納されたメモリカード（以下、更新用カードと呼ぶことにする）を複合機のカードスロットに挿入し、カードスロット内に収容された更新用カードからプログラム更新用のデータを読み出すことにより行われる。制御プログラムを書き換える際には、更新用カードをカードスロット内に収容させる必要がある。このため、更新用カードが装着されているか否かが視認しづらくなるので、更新用カードをカードスロットから抜き忘れてしまう場合が少なくないという問題があった。
【０００４】
特に、上述した様な複合機では、カードスロットが複合機筐体の後側に設けられることが少なくない。この様な場合には、更新用カードがカードスロット内に収容されているか否かを目視により判別するのは容易ではないことから、更新用カードの抜き忘れがより高い頻度で発生すると考えられる。
【０００５】
最近では、制御プログラムを書き換えることにより、異なる機能を実現することができる複合機も提案されている。この様な複合機では、より高機能な制御プログラムが格納された更新用カードを用いて制御プログラムを書き換えることにより、低機能な複合機を高機能化することができる。しかしながら、更新用カード内に格納されているプログラム更新用データは、他のメモリカードに容易にコピーすることが可能であることから、プログラム更新用データが他のメモリカードに不正にコピーされ、制御プログラムが書き換えられてしまうという問題があった。
【０００６】
なお、メモリカードが装着されているか否かを検出してメモリカードの抜き忘れを防止する技術は、例えば、特許文献１及び２に記載されている。また、メモリカードに書き込まれた特定の情報に基づいて当該メモリカードが不正コピーされたメモリカードであるか否かを検出する技術は、特許文献３及び４に記載されている。
【特許文献１】特開２００６−１０１３６５号公報
【特許文献２】特開平０５−３２４２１２号公報
【特許文献３】特開２００４−３１０７２０号公報
【特許文献４】特開平１１−２４９９６７号公報
【発明の開示】
【発明が解決しようとする課題】
【０００７】
上述した通り、従来の複合機では、更新用カードが装着されているか否かが視認しづらいので、更新用カードをカードスロットから抜き忘れてしまう場合が少なくないという問題があった。また、更新用カード内に格納されているデータは、他のメモリカードに容易にコピーすることができるので、プログラム更新用のデータが他のメモリカードに不正にコピーされ、制御プログラムが書き換えられてしまうという問題があった。
【０００８】
本発明は、上記事情に鑑みてなされたものであり、プログラム更新用のデータが格納された更新用カードが複合機に装着されているのを容易に視認することができる複合機システムを提供することを目的としている。特に、カードスロットが複合機筐体の後側に設けられる場合であっても、更新用カードがカードスロット内に収容されているか否かの目視による判別を容易化した複合機システムを提供することを目的としている。
【０００９】
また、本発明の他の目的は、プログラム更新用のデータが不正にコピーされたメモリカードによる制御プログラムの書き換えを抑制させた複合機システムを提供することにある。
【課題を解決するための手段】
【００１０】
第１の本発明による複合機システムは、画像を記憶するメモリカードと、制御プログラムを記憶するプログラム記憶部、上記メモリカードを挿抜可能に収容するカードスロット、上記制御プログラムに基づいて上記画像を出力する画像出力部、及び、上記制御プログラムを書き換えるプログラム更新処理部を有する複合機と、上記制御プログラムを書き換えるためのプログラム更新用データを記憶し、上記カードスロット内に挿抜可能に収容され、上記メモリカードよりも挿抜方向に長いプログラム更新用カードとを備えて構成される。
【００１１】
この複合機システムでは、プログラム更新用カードがカードスロット内に収容された場合に、プログラム更新処理部が当該プログラム更新用カードからプログラム更新用データを読み出してプログラム記憶部内の制御プログラムを書き換える。その際、プログラム更新用カードは、画像などを記憶するメモリカードよりも挿抜方向に長いので、カードスロット内に収容された状態において、メモリカードに比べ端部がカードスロットからより外側へ突出することとなる。この様な構成により、カードスロット内に収容された状態における視認性を向上させることができるので、プログラム更新用のデータが格納された更新用カードが複合機に装着されているのを容易に視認することができる。
【００１２】
第２の本発明による複合機システムは、上記構成に加え、上記複合機が、上記カードスロットの開口を塞ぐための開閉可能なカバーであって、外側に開くカバーを備え、上記カバーは、上記メモリカードがカードスロット内に収容されている場合に閉めることができ、上記プログラム更新用カードがカードスロット内に収容されている場合には、当該プログラム更新用カードの端部に当接して閉めることができないように構成される。この様な構成によれば、プログラム更新用カードがカードスロット内に収容された状態では、収容されていなければ閉まっているところのカバーが開いたままの状態となる。このため、カードスロットが複合機筐体の後側に設けられる場合であっても、更新用カードがカードスロット内に収容されているか否かの目視による判別をより容易にすることができる。
【００１３】
第３の本発明による複合機システムは、上記構成に加え、上記プログラム更新用カードが、プログラム更新用のメモリカードであることを示す識別情報を含むＲＦ信号の送信可能なＲＦＩＤタグを備え、上記複合機が、上記ＲＦＩＤタグと交信し、上記カードスロット内のプログラム更新用カードから上記識別情報を読み取るＲＦＩＤ読取部を備え、上記プログラム更新処理部は、上記ＲＦＩＤ読取部が読み取った識別情報に基づいて、プログラム更新用カードからプログラム更新用データを読み出し、上記プログラム記憶部内の制御プログラムを書き換えるように構成される。この様な構成によれば、プログラム更新用カードがカードスロット内に収容された場合に、ＲＦＩＤ読取部が更新用カードのＲＦＩＤタグと交信して読み取った識別情報に基づいて制御プログラムの書き換えが行われる。従って、カードスロット内に収容された更新用カードが適切なものであるか否かを識別することができるので、プログラム更新用のデータが不正にコピーされたメモリカードによる制御プログラムの書き換えを抑制させることができる。
【００１４】
第４の本発明による複合機システムは、上記構成に加え、上記プログラム更新用カードが、挿抜方向における一方の端部に配置され、上記カードスロットの接続端子に接続される接続端子部と、上記接続端子部に接続され、上記プログラム更新用データを記憶するメモリ部とを備え、上記ＲＦＩＤタグが、上記メモリ部よりも挿抜方向における他方の端部側に配置されているように構成される。この様な構成によれば、ＲＦＩＤタグを接続端子部及びメモリ部間に配置するのに比べて、メモリ部を接続端子部により近づけて配置することができるので、接続端子部及びメモリ部間の配線を短縮することができる。
【発明の効果】
【００１５】
本発明による複合機システムによれば、カードスロット内に収容された状態における視認性が向上するので、プログラム更新用のデータが格納された更新用カードが複合機に装着されているのを容易に視認することができる。特に、プログラム更新用カードがカードスロット内に収容された状態では、カバーが開いたままの状態となるので、カードスロットが複合機筐体の後側に設けられる場合であっても、更新用カードがカードスロット内に収容されているか否かの目視による判別を容易化することができる。
【００１６】
また、プログラム更新用カードがカードスロット内に収容された場合に、ＲＦＩＤ読取部が更新用カードのＲＦＩＤタグと交信して読み取った識別情報に基づいて制御プログラムの書き換えが行われる。従って、カードスロット内に収容された更新用カードが適切なものであるか否かを識別することができるので、プログラム更新用のデータが不正にコピーされたメモリカードによる制御プログラムの書き換えを抑制させることができる。
【発明を実施するための最良の形態】
【００１７】
実施の形態１．
図１は、本発明の実施の形態１による複合機システム１の概略構成の一例を示した斜視図であり、複合機の一例としてファクシミリ複合機１０を含むシステムが示されている。この複合機システム１は、通信回線網２に接続されたファクシミリ複合機１０と、画像などを記憶するためのメモリカード２０と、制御プログラムを書き換えるためのプログラム更新用のデータを記憶するプログラム更新用カード３０からなる。
【００１８】
ファクシミリ複合機１０は、通信回線網２を介してデータを送信し、或いは、受信するデータ通信機能と、受信したデータなどを用紙に印刷する印刷機能と、原稿から画像を読み取る画像読取機能とを備えた電子機器である。ここでは、通信回線網２として、電話回線網の他、ＬＡＮ（Local Area Network）やインターネットなどが想定される。
【００１９】
ファクシミリ複合機１０は、筐体上部が手前側へ突出しており、この突出部分の上面に操作パネル１１が配置されている。操作パネル１１には、複数の操作キー１２と、ディスプレイ１３が設けられている。また、筐体下部には、手前に引き出すことが可能な給紙トレイ１４が設けられている。
【００２０】
このファクシミリ複合機１０には、筐体側面にメモリカード２０を挿抜可能に収容するカードスロット１６のカード差込口が配置されている。カードスロット１６のカード差込口は、複合機筐体の左側側面における中央よりも後側に配置されている。つまり、このカード差込口は、手前から見てファクシミリ複合機１０の奥側に配置されている。
【００２１】
ここでは、カード差込口が、長手方向を上下方向に一致させて設けられているものとする。また、カード差込口を塞ぐための開閉可能な差込口カバー１５が、複合機筐体に取り付けられているものとする。この差込口カバー１５は、外側に開くカバーとなっており、メモリカード２０をカード差込口に差し込む際には、つまみ１５ａを引いて開けられるようになっている。
【００２２】
メモリカード２０は、カードスロット１６内に挿抜可能に収容される記録媒体であり、データを書き換え可能に記憶する不揮発性の半導体記憶素子と、カードスロット１６との接続端子からなる。このメモリカード２０は、半導体記憶素子としてフラッシュメモリを有する市販の記録媒体であり、所定の規格に基づいて製造される。
【００２３】
メモリカード２０には、ファクシミリ複合機１０が通信回線網２を介して受信した画像データや、原稿から読み取った画像データが格納される。メモリカード２０内に蓄積させた画像データは、メモリカード２０を装着することにより、パーソナルコンピュータなどの他の端末装置上で閲覧編集することができる。また、他の端末装置上で作成されメモリカード内に蓄積された画像データは、メモリカード２０を装着することにより、ファクシミリ複合機１０により通信回線網２を介して送信し、或いは、用紙に印刷することができる。
【００２４】
プログラム更新用カード３０は、カードスロット１６内に挿抜可能に収容され、ファクシミリ複合機１０の制御プログラムを書き換えるためのプログラム更新用データを記憶する記録媒体である。このプログラム更新用カード３０は、不揮発性の半導体記憶素子と、カードスロット１６との接続端子からなり、メモリカード２０よりも挿抜方向の長さが延長部Ａの分だけ長くなっている。
【００２５】
図２は、図１の複合機システム１におけるファクシミリ複合機１０の要部における一構成例を示した図であり、複合機後方から見たカードスロット１６周辺の様子が示されている。このカードスロット１６は、複合機筐体の表面から筐体内に向けて設けられており、メモリカード２０の挿抜方向は筐体面に垂直となっている。カードスロット１６における挿抜方向の最深部には、メモリカード２０との接続端子１６ａが配置されている。また、カードスロット１６におけるカード差込口Ｂ１の周縁部Ｂ２は、外側ほど開口が広がるように傾斜している。
【００２６】
差込口カバー１５は、矩形形状の平板からなり、下端部が水平な回転軸を有するヒンジ１５ｂを介して複合機筐体に取り付けられている。差込口カバー１５は、回転軸の回りに回転させて、カード差込口Ｂ１側へ移動させることにより、閉めることができる。そして、完全に閉めた状態では、複合機筐体のカード差込口Ｂ１周囲に設けられたカバー収容部１７内にカバー全体が収容される。この様な差込口カバー１５を閉めてカバー収容部１７内に収容させることにより、カード差込口Ｂ１及びその周縁部Ｂ２を含むカードスロット１６の開口部全体を塞ぐことができる。
【００２７】
図３は、図１の複合機システム１におけるファクシミリ複合機１０の構成例を示した図であり、カードスロット１６のカード差込口Ｂ１を正面から見たカバー収容部１７内の様子が示されている。カードスロット１６の開口部１８は、カバー収容部１７内の中央部に設けられており、縦長の矩形形状からなる。
【００２８】
メモリカード２０の挿入時における突入方向のずれは、メモリカード２０端部が周縁部Ｂ２に当接することにより修正され、カード差込口Ｂ１内に案内される。メモリカード２０は、接続端子がカードスロット１６内の接続端子１６ａと接触する位置で保持され、この状態でデータの読み書きが行われる。つまり、互いの接続端子が接触する位置がメモリカード２０に対してデータを読み出し、或いは、書き込むことが可能となる位置となっている。
【００２９】
図４（ａ）及び（ｂ）は、図１の複合機システム１におけるファクシミリ複合機１０の構成例を示した断面図であり、カード収容時のカードスロット１６周辺の様子が示されている。図４（ａ）には、カードスロット１６内にメモリカード２０が収容された場合が示され、図４（ｂ）には、カードスロット１６内にプログラム更新用カード３０が収容された場合が示されている。
【００３０】
メモリカード２０が、カードスロット１６内に収容され、データの読み書き可能な位置に保持された状態では、カードスロット１６の開口部よりも内側に配置されることとなる。具体的には、メモリカード２０における接続端子とは反対側の端部が、カードスロット１６の周縁部Ｂ２における最も外側の部分よりも内側となるように配置されている。このため、差込口カバー１５は、完全に閉めることができる。
【００３１】
これに対して、プログラム更新用カード３０が、カードスロット１６内に収容され、データの読み出し可能な位置に保持された状態では、端部がカードスロット１６の開口部よりも外側にはみ出ることとなる。具体的には、プログラム更新用カード３０における接続端子とは反対側の端部が、カードスロット１６の周縁部Ｂ２における最も外側の部分よりも外側へ突出した状態となる。このため、差込口カバー１５は、閉める際に、更新用カード３０の上記端部におけるヒンジ側の一部分に当接することとなり、完全には閉めることができなくなる。
【００３２】
つまり、メモリカード２０の場合、開いた状態からカバー収容部１７内に収容された状態まで差込口カバー１５を移動させることができるのに対して、プログラム更新用カード３０の場合には、移動の途中でカードの端部に当接してそれ以上差込口カバー１５を移動させることができなくなる。この様に、移動の途中でカードの端部に接触すると、差込口カバー１５は、完全には閉めることができない。
【００３３】
この様な構成により、カードスロット１６内に収容された状態における視認性を向上させることができるので、プログラム更新用データが格納された更新用カード３０がファクシミリ複合機１０に装着されているのを容易に視認することができる。特に、プログラム更新用カード３０がカードスロット１６内に収容された状態では、収容されていなければ閉まっているところの差込口カバー１５が開いたままの状態となる。このため、カードスロット１６が複合機筐体の後側に設けられる場合であっても、更新用カード３０がカードスロット１６内に収容されているか否かの目視による判別をより容易にすることができる。
【００３４】
図５は、図１の複合機システム１におけるファクシミリ複合機１０の一構成例を示したブロック図である。このファクシミリ複合機１０は、カードスロット１６の他に、マイクロプロセッサ４０、送受信処理部４１、表示処理部４２、操作入力処理部４３、プログラム記憶部４４、プログラム更新処理部４５、画像読取装置４６及び印刷装置４７により構成される。
【００３５】
マイクロプロセッサ４０は、各処理部４１〜４３，４５、画像読取装置４６及び印刷装置４７の動作を制御する制御回路であり、例えば、半導体チップからなる。送受信処理部４１は、通信回線網２を介して他の端末装置へ通信データを送信し、或いは、他の端末装置からの通信データを受信する処理を行っている。
【００３６】
表示処理部４２は、通信データの送受信情報、操作キー１２による操作入力情報、画像読取情報、印刷情報などをディスプレイ１３の表示画面上に表示させる動作を行っている。操作入力処理部４３は、操作キー１２の操作に基づいて所定の入力信号を生成する動作を行っている。
【００３７】
カードスロット１６は、メモリカード２０を着脱可能に収容するメモリカードの収容装置である。メモリカード２０は、筐体内に、フラッシュメモリ及びその入出力コントローラが設けられたチップ状の記録媒体である。フラッシュメモリは、データを書き換え可能に記憶する不揮発性の半導体記憶素子からなるストレージデバイスであり、入出力コントローラにより、データの読み書きが制御される。このカードスロット１６には、メモリカード２０又はプログラム更新用カード３０のいずれか一方が収容される。
【００３８】
プログラム記憶部４４は、このファクシミリ複合機１０の動作を制御する制御プログラムを記憶する記憶装置である。ここでは、送受信処理部４１、表示処理部４２、操作入力処理部４３、画像読取装置４６及び印刷装置４７の動作を制御する制御プログラムが書き換え可能に記憶されているものとする。
【００３９】
プログラム更新処理部４５は、カードスロット１６内のプログラム更新用カード３０からプログラム更新用データを読み出し、読み出したプログラム更新用データに基づいてプログラム記憶部４４内の制御プログラムを書き換える動作を行っている。ここでは、制御プログラム中の不具合箇所を修正し、或いは、新たな機能を追加するために、制御プログラムの一部又は全部がプログラム更新用データに基づいて書き換えられるものとする。
【００４０】
画像読取装置４６は、読み取り対象とする原稿に光を照射し、当該原稿による反射光を受光して画像データを生成する撮像装置である。ここでは、原稿の紙送り方向に照射光を走査（スキャン）させることにより、原稿が読み取られるものとする。原稿から読み取った画像データは、通信回線網２を介して他の端末装置へ送信し、印刷装置４７に印刷させ、或いは、カードスロット１６内のメモリカード２０に記憶させることができる。
【００４１】
印刷装置４７は、画像データの出力装置であり、プリントヘッド４７ａ、駆動制御部４７ｂ及びプリンタ機構４７ｃからなる。プリンタ機構４７ｃは、感光体ドラム、帯電器、現像装置、転写装置及び定着装置からなる。
【００４２】
プリントヘッド４７ａは、複数のＬＥＤ（Light Emitting Diode：発光ダイオード）を直線上に配置させたＬＥＤアレイを備え、入力された画像データに基づいて、光を感光体ドラムに照射する動作を行っている。
【００４３】
駆動制御部４７ｂは、プリントヘッド４７ａ及びプリンタ機構４７ｃの駆動制御を行っている。ここで、感光体ドラムは、表面に感光体層が形成された円筒状の回転体であり、印刷時には、帯電器により表面が一様に帯電される。この様に帯電された感光体ドラムの表面に、光を照射することにより、静電潜像が形成される。
【００４４】
現像装置は、静電潜像が形成された感光体ドラムの表面に、トナーを付着させて、トナー像を形成させる動作を行っている。転写装置は、感光体ドラムの表面に形成されたトナー像を用紙に転写させる動作を行っている。定着装置は、トナー像が転写された用紙を加熱処理及び加圧処理し、画像を用紙表面に定着させる動作を行っている。
【００４５】
本実施の形態によれば、カードスロット１６内に収容された状態におけるプログラム更新用カード３０の視認性を向上させることができるので、プログラム更新用カード３０がファクシミリ複合機１０に装着されているのを容易に視認することができる。特に、プログラム更新用カード３０がカードスロット１６内に収容された状態では、収容されていなければ閉まっているところの差込口カバー１５が開いたままの状態となる。このため、カードスロット１６が複合機筐体の後側に設けられる場合であっても、プログラム更新用カード３０がカードスロット１６内に収容されているか否かの目視による判別をより容易にすることができる。
【００４６】
なお、本実施の形態では、画像データの送受信機能を備えたファクシミリ複合機１０を含む複合機システムに本発明を適用する場合の例について説明したが、本発明はこれに限られるものではない。例えば、画像データの送受信機能を有しない複合機からなる複合機システムにも本発明は適用することができる。
【００４７】
実施の形態２．
実施の形態１では、プログラム更新用のデータが格納される更新用カードを挿抜方向に長くしてカードスロット１６内に収容された状態における視認性を向上させる場合の例について説明した。これに対し、本実施の形態では、カードスロット１６内に収容された更新用カードが適切なものであるか否かを識別することにより、不正にコピーされたメモリカードによる制御プログラムの書き換えを抑制させる場合について説明する。
【００４８】
図６は、本発明の実施の形態２による複合機システムにおいて用いられるプログラム更新用カード３０の一構成例を示した外観図である。このプログラム更新用カード３０は、プログラム更新用データを記憶するメモリ部３１と、接続端子部３２と、ＲＦＩＤタグ３３により構成される。接続端子部３２は、カードスロット１６の接続端子１６ａに接続される接続端子からなり、挿抜方向における一方の端部に配置されている。
【００４９】
メモリ部３１は、不揮発性の半導体記憶素子（フラッシュメモリ）からなり、接続端子部３２に接続されている。このメモリ部３１は、接続端子部３２よりも挿抜方向における他方の端部側に配置されている。ＲＦＩＤタグ３３は、メモリ部３１よりも挿抜方向における他方の端部側に配置されている。つまり、メモリ部３１は、接続端子部３２及びＲＦＩＤタグ３３間に設けられている。
【００５０】
この例では、ＲＦＩＤタグ３３が、メモリ部３１よりも外側の延長部Ａ内に配置されている。このＲＦＩＤタグ３３は、プログラム更新用のメモリカードであることを示す識別情報を含むＲＦ（Radio Frequency）信号の送信可能な半導体チップからなる無線送信装置である。識別情報及びＲＦ信号の送信周波数などは予め定められる。なお、識別情報として、複合機５０の機種を特定するための機種情報を含ませ、プログラム更新用カード３０を特定機種専用とすることも考えられる。
【００５１】
図７は、図６のプログラム更新用カード３０を収容するカードスロット１６を含むファクシミリ複合機５０の一構成例を示したブロック図である。本実施の形態によるファクシミリ複合機５０は、図５のファクシミリ複合機１０と比較すれば、ＲＦＩＤ読取部５１を備えている点で異なる。ＲＦＩＤ読取部５１は、プログラム更新用カード３０のＲＦＩＤタグ３３と無線により交信し、カードスロット１６内のプログラム更新用カード３０から識別情報を読み取る動作を行っている。
【００５２】
プログラム更新処理部４５では、ＲＦＩＤ読取部５１が読み取った識別情報に基づいて、プログラム更新用カード３０からプログラム更新用データを読み出して制御プログラムを書き換える動作が行われる。具体的には、プログラム更新用カード３０から読み取られた識別情報と、複合機５０が保持する識別情報とを比較し、その比較結果から両者は一致すると判断された場合に、当該更新用カード３０からプログラム更新用データが読み出される。一方、プログラム更新用カード３０から読み取られた識別情報と、複合機５０が保持する識別情報とが一致しないか、或いは、識別情報が更新用カード３０から得られない場合には、当該更新用カード３０に対するプログラム更新用データの読み出しは行わない。
【００５３】
本実施の形態によれば、プログラム更新用カード３０がカードスロット１６内に収容された場合に、ＲＦＩＤ読取部５１がプログラム更新用カード３０のＲＦＩＤタグ３３と交信して読み取った識別情報に基づいて制御プログラムの書き換えが行われる。従って、カードスロット１６内に収容された更新用カードが適切なものであるか否かを識別することができるので、プログラム更新用のデータが不正にコピーされたメモリカードによる制御プログラムの書き換えを防止することができる。
【００５４】
また、ＲＦＩＤタグ３３が接続端子部３２とは反対側の端部に配置されるので、ＲＦＩＤタグ３３を接続端子部３２及びメモリ部３１間に配置するのに比べて、メモリ部３１を接続端子部３２により近づけて配置することができ、接続端子部３２及びメモリ部３１間の配線を短縮することができる。従って、接続端子部３２及びメモリ部３１間の配線が簡素化されるので、メモリ部３１の記憶容量を増大させ、或いは、プログラム更新用カード３０の製造コストを低減することができる。また、ＲＦＩＤタグ３３が、カードスロット１６のカード差込口Ｂ１から外側に突出する延長部Ａ内に配置されるので、プログラム更新用カード３０の筐体における他の部分よりも厚みを厚くすることもできる。
【図面の簡単な説明】
【００５５】
【図１】本発明の実施の形態１による複合機システム１の概略構成の一例を示した斜視図であり、ファクシミリ複合機１０を含むシステムが示されている。
【図２】図１の複合機システム１におけるファクシミリ複合機１０の要部における一構成例を示した図であり、カードスロット１６周辺の様子が示されている。
【図３】図１の複合機システム１におけるファクシミリ複合機１０の構成例を示した図であり、カバー収容部１７内の様子が示されている。
【図４】図１の複合機システム１におけるファクシミリ複合機１０の構成例を示した断面図であり、カード収容時のカードスロット１６周辺の様子が示されている。
【図５】図１の複合機システム１におけるファクシミリ複合機１０の一構成例を示したブロック図である。
【図６】本発明の実施の形態２による複合機システムにおいて用いられるプログラム更新用カード３０の一構成例を示した外観図である。
【図７】図６のプログラム更新用カード３０を収容するカードスロット１６を含むファクシミリ複合機５０の一構成例を示したブロック図である。
【符号の説明】
【００５６】
１  複合機システム
２  通信回線網
１０  ファクシミリ複合機
２０  メモリカード
３０  プログラム更新用カード
３１  メモリ部
３２  接続端子部
３３  ＲＦＩＤタグ
１１  操作パネル
１２  操作キー
１３  ディスプレイ
１４  給紙トレイ
１５  差込口カバー
１５ａ  つまみ
１５ｂ  ヒンジ
１６  カードスロット
１６ａ  接続端子
１７  カバー収容部
１８  開口部
４０  マイクロプロセッサ
４１  送受信処理部
４２  表示処理部
４３  操作入力処理部
４４  プログラム記憶部
４５  プログラム更新処理部
４６  画像読取装置
４７  印刷装置
４７ａ  プリントヘッド
４７ｂ  駆動制御部
４７ｃ  プリンタ機構
５０  ファクシミリ複合機
５１  ＲＦＩＤ読取部
Ａ  延長部
Ｂ１  カード差込口
Ｂ２  周縁部
【図１】
2008147773.tif 000003
【図２】
2008147773.tif 000004
【図３】
2008147773.tif 000005
【図４】
2008147773.tif 000006
【図５】
2008147773.tif 000007
【図６】
2008147773.tif 000008
【図７】
2008147773.tif 000009